(57)【要約】【課題】  所望の方向の被写体を容易に撮影できるだけでなく、蓋体を閉じた状態でも画像を確認しながら撮影を行うことができる移動通信端末機を提供する。【解決手段】  移動通信端末機は、本体２０の上側に形成された固定ヒンジ部３０と、前記固定ヒンジ部３０の中央に位置した回転型円筒カメラ３２と、ＬＣＤ１１が装着された蓋体１０と、前記蓋体１０の開閉及び独立的な回転を行うために、前記蓋体１０と固定ヒンジ部３０との間に接続されたスイベルヒンジ部４０と、を含む。【選択図】  図１
2005160081.tif 000002
【特許請求の範囲】
【請求項１】
本体の上側に形成された固定ヒンジ部と、
前記固定ヒンジ部の中央に位置した回転型円筒カメラと、
ＬＣＤが装着された蓋体と、
前記蓋体の開閉及び独立的な回転を行うために、前記蓋体と固定ヒンジ部との間に接続されたスイベルヒンジ部と、
を含むことを特徴とする移動通信端末機。
【請求項２】
前記蓋体は、
前記回転型円筒カメラの回転方向と垂直な方向に１８０°回転可能であることを特徴とする請求項１に記載の移動通信端末機。
【請求項３】
前記スイベルヒンジ部は、
前記蓋体が閉じたときに前記回転型円筒カメラが外部に露出するように、前記固定ヒンジ部に結合されることを特徴とする請求項１に記載の移動通信端末機。
【請求項４】
前記スイベルヒンジ部は、
中央に回転孔が形成されたスイベルヒンジと、
前記スイベルヒンジの回転孔に挿入されて回転し、前記蓋体に固定された回転軸と、
前記スイベルヒンジに構成された係止突条と、
から構成されることを特徴とする請求項１に記載の移動通信端末機。
【請求項５】
前記回転軸は、
前記蓋体に固定される固定部と、
前記固定部に連結された二つの軸と、
を含むことを特徴とする請求項４に記載の移動通信端末機。
【請求項６】
前記二つの軸は、
前記係止突条に係止されることができるように、それぞれ半径の小さい下端軸及び半径の大きい上端軸により構成されることを特徴とする請求項５に記載の移動通信端末機。
【請求項７】
固定ヒンジ部を介して本体に結合された蓋体と、
前記固定ヒンジ部の中央に位置した回転型円筒カメラと、
前記回転型円筒カメラを回転させるための取っ手と、
を含むことを特徴とする移動通信端末機。
【請求項８】
前記蓋体が前記回転型円筒カメラの回転軸に対し垂直な方向に回転されるように、前記蓋体を前記固定ヒンジ部に結合させるスイベルヒンジ部をさらに含むことを特徴とする請求項７に記載の移動通信端末機。
【請求項９】
前記スイベルヒンジ部は、
前記蓋体が閉じたときに前記回転型円筒カメラが外部に露出するように、前記固定ヒンジ部に結合されることを特徴とする請求項８に記載の移動通信端末機。
【発明の詳細な説明】
【技術分野】
【０００１】
本発明は、カメラが装着された移動通信端末機に関し、特に、回転型円筒カメラ及びスイベルヒンジ構造を有する移動通信端末機に関する。
【背景技術】
【０００２】
最近、マルチメディアに対する使用者の欲求が高まることによって、動画像の撮影及び再生はもちろん、高音質の音響を再生できる移動通信端末機が開発及び販売されている。
【０００３】
図５は、カメラが装着された従来の移動通信端末機の斜視図である。
【０００４】
図５に示すように、従来のカメラが装着された移動通信端末機は、キーパッド１１が設置された本体１０と、ヒンジ部３０を介して前記本体１０と結合された蓋体２０と、前記蓋体２０の上面一側に設置されたカメラ２２と、を含む。
【０００５】
使用者は、被写体を撮影する場合、まず、前記蓋体２０を開いて前記カメラ２２が被写体に向かうようにする。この状態で、使用者は、メイン画面（ＬＣＤ）を通して撮影すべき被写体の画像を確認した後、キーパッド１１または他のキーを操作して撮影を行う。
【０００６】
最近、カメラが装着された多様な端末機が商品化されており、カメラの位置も、カメラの撮影シーンを考慮して多様化されている傾向にある。
【発明の開示】
【発明が解決しようとする課題】
【０００７】
しかしながら、従来のカメラが装着された移動通信端末機は、一つのカメラを利用して被写体を撮影するため、蓋体を閉じた状態ではメイン画面を通して撮影すべき被写体の画像を確認することができないという欠点がある。特に、３世代（３Ｇ）端末機は、画像通話用シーンを満足させるために、前面及び後面方向の撮影のための二つのカメラを備えているが、このような構造は、端末機のサイズを増大させるという欠点がある。
【０００８】
従って、本発明の目的は、一つのカメラにより様々な角度の撮影を行うことができる移動通信端末機を提供することにある。 
【０００９】
本発明の他の目的は、蓋体が閉じた状態でも画像を確認しながら撮影を行うことができる移動通信端末機を提供することにある。
【課題を解決するための手段】
【００１０】
このような目的を達成するために、本発明に係る移動通信端末機は、本体の上側に形成された固定ヒンジ部と、前記固定ヒンジ部の中央に位置した回転型円筒カメラと、ＬＣＤが装着された蓋体と、前記蓋体の開閉及び独立的な回転を行うために、前記蓋体と固定ヒンジ部との間に接続されたスイベルヒンジ部と、を含む。
【００１１】
好ましくは、前記蓋体は、前記回転型円筒カメラの回転方向と垂直な方向に１８０°回転可能である。
【００１２】
好ましくは、前記スイベルヒンジ部は、前記蓋体が閉じたときに前記回転型円筒カメラが外部に露出するように、前記固定ヒンジ部に結合される。
【００１３】
上記目的を達成するために、本発明は、例えば、以下の手段を提供する。
【００１４】
（項目１）
本体の上側に形成された固定ヒンジ部と、
前記固定ヒンジ部の中央に位置した回転型円筒カメラと、
ＬＣＤが装着された蓋体と、
前記蓋体の開閉及び独立的な回転を行うために、前記蓋体と固定ヒンジ部との間に接続されたスイベルヒンジ部と、
を含むことを特徴とする移動通信端末機。
【００１５】
（項目２）
前記蓋体は、
前記回転型円筒カメラの回転方向と垂直な方向に１８０°回転可能であることを特徴とする項目１に記載の移動通信端末機。
【００１６】
（項目３）
前記スイベルヒンジ部は、
前記蓋体が閉じたときに前記回転型円筒カメラが外部に露出するように、前記固定ヒンジ部に結合されることを特徴とする項目１に記載の移動通信端末機。
【００１７】
（項目４）
前記スイベルヒンジ部は、
中央に回転孔が形成されたスイベルヒンジと、
前記スイベルヒンジの回転孔に挿入されて回転し、前記蓋体に固定された回転軸と、
前記スイベルヒンジに構成された係止突条と、
から構成されることを特徴とする項目１に記載の移動通信端末機。
【００１８】
（項目５）
前記回転軸は、
前記蓋体に固定される固定部と、
前記固定部に連結された二つの軸と、
を含むことを特徴とする項目４に記載の移動通信端末機。
【００１９】
（項目６）
前記二つの軸は、
前記係止突条に係止されることができるように、それぞれ半径の小さい下端軸及び半径の大きい上端軸により構成されることを特徴とする項目５に記載の移動通信端末機。
【００２０】
（項目７）
固定ヒンジ部を介して本体に結合された蓋体と、
前記固定ヒンジ部の中央に位置した回転型円筒カメラと、
前記回転型円筒カメラを回転させるための取っ手と、
を含むことを特徴とする移動通信端末機。
【００２１】
（項目８）
前記蓋体が前記回転型円筒カメラの回転軸に対し垂直な方向に回転されるように、前記蓋体を前記固定ヒンジ部に結合させるスイベルヒンジ部をさらに含むことを特徴とする項目７に記載の移動通信端末機。
【００２２】
（項目９）
前記スイベルヒンジ部は、
前記蓋体が閉じたときに前記回転型円筒カメラが外部に露出するように、前記固定ヒンジ部に結合されることを特徴とする項目８に記載の移動通信端末機。
【発明の効果】
【００２３】
本発明は、回転型円筒カメラ及びスイベルヒンジ構造を有する移動通信端末機を提供することにより、所望の方向の被写体を容易に撮影できるだけでなく、蓋体を閉じた状態でも画像を確認しながら撮影を行うことができるという効果がある。
【発明を実施するための最良の形態】
【００２４】
以下、本発明に係る回転型円筒カメラ及びスイベルヒンジ構造を有する移動通信端末機の好ましい実施形態を説明する。
【００２５】
本発明においては、回転型円筒カメラを利用して様々な角度（前面及び後面方向）の撮影を行うことができ、特に、蓋体が閉じた状態でも、使用者がＬＣＤを通して被写体の画像を確認することができる移動通信端末機を提案する。
【００２６】
このために、本発明は、移動通信端末機の固定ヒンジ部の中央に回転型円筒カメラを設置し、ＬＣＤが装着された蓋体を前記回転型円筒カメラの回転方向と垂直な方向に１８０°回転させることができるスイベルヒンジ構造を採用する。
【００２７】
図１は、本発明に係る回転型円筒カメラ及びスイベルヒンジ構造を有する移動通信端末機の斜視図である。
【００２８】
図１に示すように、本発明に係る移動通信端末機は、本体２０と、固定ヒンジ部３０と、前記固定ヒンジ部３０の中央に位置した回転型円筒カメラ３２と、蓋体１０と、回転軸３１を中心に回転可能に前記固定ヒンジ部３０に結合され、前記蓋体１０が回転軸４１を中心に回転可能なように蓋体１０と結合されたスイベルヒンジ部４０と、を含む。
【００２９】
前記回転型円筒カメラ３２は、カメラレンズ５０及び取っ手３４を含む。前記本体２０の前面には、キーパッド２１が設置され、側面には、撮影のためのサイドボタン２２が備えられている。且つ、前記蓋体１０には、ＬＣＤ１１が設置されている。
【００３０】
前記スイベルヒンジ部４０は、中央に回転孔が形成されたスイベルヒンジ４２と、前記スイベルヒンジ４２の回転孔に挿入されて回転し、前記蓋体１０に固定された回転軸と、から構成される。このとき、前記スイベルヒンジ４２には、係止突条４３が形成されている。
【００３１】
前記回転軸は、図２に示すように、蓋体１０に固定される固定部４１と、該固定部４１に連結された二つの軸４４、４５と、を含む。前記二つの軸４４、４５は、係止突条４３に係止されることができるように、それぞれ小さい半径の下端軸４５及び大きい半径の上端軸４４により構成される。且つ、前記回転軸には、データラインであるＦＰＣＢ（Ｆｌｅｘｉｂｌｅ  ＰＣＢ）１２が通過できるように、中空が形成される。
【００３２】
図３は、蓋体が開いた移動通信端末機の側面図で、図４は、蓋体が閉じた移動通信端末機の側面図である。
【００３３】
前記回転型円筒カメラ３２を利用して停止画像または動画像を撮影する場合、使用者は、図１及び図３に示すように、前記取っ手３４を回転させてカメラレンズ５０が被写体に向かうようにした後、前記本体２０に備えられたサイドボタン２２を操作して所望の被写体を撮影する。特に、画像通話時にも、前記回転型円筒カメラ３２を回転させることにより、カメラの視野５１内の自分の姿とカメラの視野５２内の周囲環境及び他の方向の背景を自由に伝送することができる。
【００３４】
また、図４に示すように、回転型円筒カメラ３２を１８０°回転させてカメラの視野５３を確保した状態で、蓋体１０をスイベルヒンジ部４０を通して１８０°回転させた後に閉じる場合、使用者は、ＬＣＤ１１を通して現れる画像を確認しながら所望の画像を撮影することができる。
【００３５】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００３６】
【図１】本発明に係る回転型円筒カメラ及びスイベルヒンジ構造を有する移動通信端末機の斜視図である。
【図２】図１のスイベルヒンジ部の詳細を示す図である。
【図３】本発明に係る移動通信端末機の側面図で、蓋体が開いた状態におけるカメラの視野を示す図である。
【図４】蓋体が閉じた移動通信端末機の側面図で、ＬＣＤを通して画像を確認しながら被写体を撮影する姿を示すための図である。
【図５】カメラが装着された従来の移動通信端末機の斜視図である。
【符号の説明】
【００３７】
１０  蓋体
１１  ＬＣＤ
２０  本体
２２  サイドボタン
３０  固定ヒンジ部
４０  スイベルヒンジ部
３１、４１  回転軸
３４  取っ手
５０  カメラレンズ
【図１】
2005160081.tif 000003
【図２】
2005160081.tif 000004
【図３】
2005160081.tif 000005
【図４】
2005160081.tif 000006
【図５】
2005160081.tif 000007